(57)【要約】      （修正有）【課題】コンクリートブロック礁に藻類が繁殖及び増殖して生長するまで魚類による食害から保護する藻場保護方法を提供すること。【解決手段】藻場を魚類による食害から保護する藻場保護方法であって、水中に設置するコンクリートブロック礁３０の周囲を水面から水底まで網材１０によって囲い、網材１０の下部は重りで水底に沿うようにし、網材１０の上部を上部索状体１１で保持するとともに、上部索状体１１を保持浮体２０で水面付近に保持し、上部索状体１１の端部に設けた目印浮体２１から水底に向けて水中索状体１４で引っ張り、水中索状体１４の端部を水底固定部材４０で位置保持するようにした。【選択図】図１
2018082641.tif 000002
【特許請求の範囲】
【請求項１】
藻場を魚類による食害から保護する藻場保護方法であって、
水中に設置するコンクリートブロック礁の周囲を水面から水底まで網材によって囲い、
前記網材の下部は重りで水底に沿うようにし、
前記網材の上部を上部索状体で保持するとともに、該上部索状体を保持浮体で水面付近に保持し、
前記上部索状体の端部に設けた目印浮体から水底に向けて水中索状体で引っ張り、該水中索状体の端部を水底固定部材で位置保持するようにした、
ことを特徴とする藻場保護方法。
【請求項２】
前記網材を、平面視において前記コンクリートブロック礁を囲って矩形状に張り、
前記目印浮体を、矩形状に張った前記網材の上部を保持する前記上部索状体の端部に設け、
前記上部索状体の端部を前記水中索状体で延長線方向に引っ張るようにした、
請求項１に記載の藻場保護方法。
【請求項３】
前記網材の下部に、水底から２ｍ〜４ｍの範囲で余剰分を持たせ、前記余剰分の端部に前記重りを設けた、
請求項１又は２に記載の藻場保護方法。
【発明の詳細な説明】
【技術分野】
【０００１】
本発明は、海底、湖底、川底などの所定範囲に造成する藻場を保護する方法に関する。
【背景技術】
【０００２】
従来、海底、湖底、川底など（以下、「海底」を例に説明する）に魚類等の餌となる藻類を繁殖及び増殖させる藻場（この明細書及び特許請求の範囲の書類中における「藻場」は、「海藻類」などの藻類を育成する場所をいう）を造成することが行われている。海底に藻場を造成する場合、例えば、コンクリートブロック礁などの人工藻礁（以下、「コンクリートブロック礁」を例に説明する）を海底に設置し、そのコンクリートブロック礁の表面に藻類を繁殖及び増殖させて藻場が造成される。このようにして藻場を造成する場合、藻類が繁殖及び増殖して生長させるためには、コンクリートブロック礁を設置した後に歳月を要する。
【０００３】
この種の先行技術として、例えば、保護領域の周囲に防護フェンスを設け、防護フェンスの上部に乗越え防止体を備えさせて、ウニなどの海底棲息動物が保護領域に侵入するのを阻止するものがある（例えば、特許文献１参照）。
【先行技術文献】
【特許文献】
【０００４】
【特許文献１】特開２００７−１４３０５号公報
【発明の概要】
【発明が解決しようとする課題】
【０００５】
しかし、上記したようにコンクリートブロック礁を設置した後、その表面に藻類が繁殖及び増殖して生長する前に、藻類が魚類などによる食害を受けることがある。このため、コンクリートブロック礁を設置した後、藻類が繁殖及び増殖して生長するまでの間、コンクリートブロック礁を保護したい、という要望がある。
【０００６】
なお、上記特許文献１では、海底に起伏がある場所などに設置して魚類が入らないようにすることは難しい。
【０００７】
そこで、本発明は、コンクリートブロック礁に藻類が繁殖及び増殖して生長するまで魚類による食害から保護する藻場保護方法を提供することを目的とする。
【課題を解決するための手段】
【０００８】
上記目的を達成するために、本発明は、藻場を魚類による食害から保護する藻場保護方法であって、水中に設置するコンクリートブロック礁の周囲を水面から水底まで網材によって囲い、前記網材の下部は重りで水底に沿うようにし、前記網材の上部を上部索状体で保持するとともに、該上部索状体を保持浮体で水面付近に保持し、前記上部索状体の端部に設けた目印浮体から水底に向けて水中索状体で引っ張り、該水中索状体の端部を水底固定部材で位置保持するようにした。この構成により、コンクリートブロック礁の周囲を網材で囲った状態を保ち、コンクリートブロック礁に繁殖及び増殖する藻類が生長するまで魚類による食害を防ぐことができる。
【０００９】
また、前記網材を、平面視において前記コンクリートブロック礁を囲って矩形状に張り、前記目印浮体を、矩形状に張った前記網材の上部を保持する前記上部索状体の端部に設け、前記上部索状体の端部を前記水中索状体で延長線方向に引っ張るようにしてもよい。このように構成すれば、網材で藻場の周囲を矩形状に囲い、その矩形状に張られた網材の上部を保持する上部索状体を延長方向に水中索状体で引っ張るので、矩形状に張られた網材の状態を保って藻場の周囲を囲う状態を安定して維持することができる。
【００１０】
また、前記網材の下部に、水底から２ｍ〜４ｍの範囲で余剰分を持たせ、前記余剰分の端部に前記重りを設けてもよい。このように構成すれば、水位の変化等によって網材の上端が上下動しても、網材の下端が水底から離れないようにできる。
【発明の効果】
【００１１】
本発明によれば、海底などの起伏に影響させることなく、コンクリートブロック礁を設置した藻場の周囲を網材で囲い、藻場を魚類などから適切に保護することが可能となる。
【図面の簡単な説明】
【００１２】
【図１】図１は、本発明の一実施形態に係る藻場保護方法を示す斜視図である。
【図２】図２は、図１に示す藻場保護方法の平面図である。
【図３】図３は、図１に示す藻場に使用するコンクリートブロック礁の一例を示す側面図である。
【図４】図４は、図１に示す網材の保持浮体を示す側面図である。
【図５】図５は、図１に示す上部索状体の端部に設ける目印浮体を示す側面図である。
【発明を実施するための形態】
【００１３】
以下、本発明の実施形態を図面に基づいて説明する。以下の実施形態では、海底（水底）Ｓに藻場１を造成する例を説明する。この明細書及び特許請求の範囲の書類中においては、海水面（水面）Ｌの方向を「上方向」、海底Ｓの方向を「下方向」とする。
【００１４】
図１は、一実施形態に係る藻場保護方法を示す斜視図であり、図２は、図１に示す藻場保護方法の平面図である。図２では、藻Ａ、魚類Ｆの記載を省略している。図示するように、この実施形態に係る藻場保護方法は、藻場１を造成する部分に、所定間隔でコンクリートブロック礁３０が設置されており、これらのコンクリートブロック礁３０と、各コンクリートブロック礁３０の間で藻Ａが繁殖及び増殖するようにしている。そして、これらのコンクリートブロック礁３０の周囲が、所定距離Ｗをあけて網材１０によって囲われている。
【００１５】
上記網材１０は、海水面Ｌから海底Ｓまで囲われており、海底Ｓには余剰分１０ａの長さが持たされている。網材１０の海底Ｓにおける余剰分１０ａの長さとしては、満潮と干潮の水位差に応じて設定すればよい。例えば、２ｍ〜４ｍ程度の長さに設定することができる。
【００１６】
網材１０の下部には、重り（図示略）の入った下部索状体１３が全周に設けられている。この下部索状体１３により、網材１０の下部を海底Ｓにはわせている。網材１０の網目としては、例えば、四角の対角の寸法が５ｃｍ〜１０ｃｍ程度を使用することができる。網材１０の網目は、食害を受ける魚類Ｆの大きさに応じて設定することができる。
【００１７】
網材１０によって囲う範囲としては、コンクリートブロック礁３０が設置された藻場１の範囲の周囲に、例えば、所定距離Ｗとして５ｍ〜１０ｍ程度をあけた範囲に設定される。藻場１としては、例えば、１辺が２０ｍ〜５０ｍ程度とすることができる。網材１０で囲う範囲は、藻場１を造成する大きさなど、藻場１の設定に応じて決定すればよい。
【００１８】
網材１０は、上部に上部索状体１１が設けられ、この上部索状体１１に設けられた保持浮体２０によって海水面Ｌの付近に保持されている。保持浮体２０を設ける間隔としては、例えば、２ｍ〜５ｍ間隔で設けることで、上部索状体１１を水面付近に保持することができる。保持浮体２０を設ける間隔としては、藻場１の大きさ、網材１０の重量などに応じて設定すればよい。
【００１９】
そして、矩形状に張られた網材１０の上部に設けられた上部索状体１１は、網材１０の端部からその延長線方向に延び、その端部に目印浮体２１が設けられている。上部索状体１１は、この目印浮体２１の外方向から上部索状体１１の延長線方向に水中索状体１４で海底Ｓに向けて引っ張られている。水中索状体１４は、海底Ｓに設置された水底固定部材たるアンカー４０に止められている。上部索状体１１は、その延長方向に引っ張られているため、矩形状に張られた網材１０の形態を保つことができる。これにより、藻場１の周囲に張られた網材１０の状態を安定して維持することができる。
【００２０】
（コンクリートブロック礁の構成）
図３は、図１に示す藻場１に使用するコンクリートブロック礁３０の一例を示す側面図である。この実施形態のコンクリートブロック礁３０は、上下位置と、左右位置と、前後位置とに複数の多角形状のブロック部３１を有し、それらの中央部が矩形状の連結部３２で連結されている。連結部３２は、上下、左右、前後位置に開口部３３が設けられて中央部分に向けて貫通穴３４で連通している。貫通穴３４は、外面の開口部３３から中央部分に向けて縮小するテーパ穴となっており、中央部分が小さい穴で連通するようになっている。これによりコンクリートブロック礁３０の強度を保ちつつ、藻Ａを繁殖及び増殖させる面積を広くしている。
【００２１】
このようなコンクリートブロック礁３０を、上記図２に示す平面視の藻場１のように、海底Ｓに所定間隔で設置することにより、これらのコンクリートブロック礁３０に海草などの藻類を繁殖及び増殖させることができる。藻は、ブロック部３１及び中空形状の貫通穴３４の部分などで繁殖及び増殖する。なお、このコンクリートブロック礁３０の形態は一例であり、他の形態のコンクリートブロック礁３０を設置してもよい。異なる形態のコンクリートブロック礁３０を混合して設置してもよい。
【００２２】
（浮体の構成）
図４は、図１に示す網材１０の保持浮体２０を示す側面図であり、図５は、図１に示す上部索状体１１の端部に設ける目印浮体２１を示す側面図である。図４に示すように、この実施形態の保持浮体２０は、球状に形成され、上記した上部索状体１１に所定間隔で固定されている。また、図５に示すように、上部索状体１１の端部に設けられた目印浮体２１は、長楕円形に造成されており、上部索状体１１に長手方向の複数箇所で固定されている。目印浮体２１は、上部索状体１１の端部に設けられた環状部１２の内側に設けられている。上部索状体１１は、目印浮体２１の外側の環状部１２に水中索状体１４（図１，２）が連結されて海底Ｓに向けて引っ張られる。
（総括）
以上したような藻場保護方法によれば、藻場１に設置したコンクリートブロック礁３０の周囲を網材１０によって海水面Ｌから海底Ｓまで囲うので、コンクリートブロック礁３０や周辺に藻が繁殖及び増殖して成長するまで魚類Ｆによる食害を防ぐことができる。したがって、藻場１を計画的に造成することが可能となる。
【００２３】
また、網材１０の上部を保持する上部索状体１１を保持浮体２０で海水面Ｌの付近に保持し、その上部索状体１１の端部に大きな目印浮体２１を設けているため、海上からでも大きな目印浮体２１の位置で藻場１の範囲を容易に認識することができる。
【００２４】
さらに、藻場１の周囲を囲う網材１０の上部を海水面Ｌの付近に保持する上部索状体１１を、その延長線方向に引っ張って位置保持するため、網材１０の張られた状態を長期的に安定して維持することが可能となる。
【００２５】
なお、上記した実施形態では、矩形状の藻場１を例に説明したが、藻場１の形状や大きさなどは一例であり、上記した実施形態以外の藻場１であってもよく、藻場１の形態は上記実施形態に限定されるものではない。
【００２６】
また、網材１０の開口部分は、食害を生じる魚類Ｆの大きさなどに応じて決定すればよく、上記した実施形態に限定されるものではない。
【００２７】
さらに、上記した実施形態は一例を示しており、本発明の要旨を損なわない範囲での種々の変更は可能であり、本発明は上記した実施形態に限定されるものではない。
【符号の説明】
【００２８】
１  藻場
１０  網材
１１  上部索状体
１２  環状部
１３  下部索状体
１４  水中索状体
２０  保持浮体
２１  目印浮体
３０  コンクリートブロック礁
３１  ブロック部
３２  連結部
３３  開口部
３４  貫通穴
４０  アンカー（水底固定部材）
Ｌ  海水面（水面）
Ｓ  海底（水底）
【図１】
2018082641.tif 000003
【図２】
2018082641.tif 000004
【図３】
2018082641.tif 000005
【図４】
2018082641.tif 000006
【図５】
2018082641.tif 000007
【手続補正書】
【提出日】平成29年10月16日(2017.10.16)
【手続補正１】
【補正対象書類名】特許請求の範囲
【補正対象項目名】請求項１
【補正方法】変更
【補正の内容】
【請求項１】
藻場を魚類による食害から保護する藻場保護方法であって、
水中に設置するコンクリートブロック礁の周囲を水面から水底まで網材によって囲い、
前記網材の下部は重りで水底に沿うようにし、
前記網材の上部を上部索状体で保持するとともに、該上部索状体を保持浮体で水面付近に保持し、
前記上部索状体を、該上部索状体の端部に設けた目印浮体の外方向から水底に向けて水中索状体で引っ張り、該水中索状体の端部を水底固定部材で位置保持するようにした、
ことを特徴とする藻場保護方法。
【手続補正２】
【補正対象書類名】明細書
【補正対象項目名】０００８
【補正方法】変更
【補正の内容】
【０００８】
上記目的を達成するために、本発明は、藻場を魚類による食害から保護する藻場保護方法であって、水中に設置するコンクリートブロック礁の周囲を水面から水底まで網材によって囲い、前記網材の下部は重りで水底に沿うようにし、前記網材の上部を上部索状体で保持するとともに、該上部索状体を保持浮体で水面付近に保持し、前記上部索状体を、該上部索状体の端部に設けた目印浮体の外方向から水底に向けて水中索状体で引っ張り、該水中索状体の端部を水底固定部材で位置保持するようにした。この構成により、コンクリートブロック礁の周囲を網材で囲った状態を保ち、コンクリートブロック礁に繁殖及び増殖する藻類が生長するまで魚類による食害を防ぐことができる。